(57)【特許請求の範囲】
【請求項１】
センサーが検出する地下埋設物情報を収集するデータ収集装置と地上の基地局からの指令信号に応じて上記データ収集装置が収集した地下埋設物情報を無線電波で送信する無線通信機とからなる無線通信データ収集装置が設置されたマンホールの無線通信用マンホール蓋であって、
導電体で構成され、所定の長さと幅を有しスロットアンテナとして機能するスロットが複数個、互いに向きが異なるように形成されるとともに、前記複数のスロットそれぞれの裏面に整合させて取り付けられ前記無線通信機の出力を前記スロットに給電し前記スロットをスロットアンテナとして励振する複数の給電部を備えたことを特徴とする無線通信用マンホール蓋。
【請求項２】
上記スロットの上記所定の長さは、上記無線通信機が送信する無線電波波長の約１／２であることを特徴とする請求項１に記載の無線通信用マンホール蓋。
【請求項３】
地下側の面に強度補強用のリブが設けられると共に、上記スロットは上記リブに対して最長距離を確保できる角度を有して形成されていることを特徴とする請求項１または２に記載の無線通信用マンホール蓋。
【請求項４】
上記スロットは、樹脂が充填されていることを特徴とする請求項１〜３のいずれか１項に記載の無線通信用マンホール蓋。
【請求項５】
請求項１〜４のいずれか１項に記載の無線通信用マンホール蓋を利用して、収集された地下埋設物情報を地上の基地局からの指令信号に応じて無線電波で送信する無線通信データ収集装置であって、
バッテリーが内蔵されると共に、防水ケースで覆われていることを特徴とする無線通信データ収集装置。
【請求項６】
通信端末と、複数の基地局と上記通信端末を結ぶ通信回線と、
センサーが検出する地下埋設物情報を収集してロギングするデータ収集装置と、
請求項１〜４のいずれか１項に記載の無線通信用マンホール蓋を利用して上記データ収集装置によりロギングされたデータを基地局からの指令信号に応じて上記基地局に無線電波で送信する無線通信機とからなり、複数のマンホールのそれぞれに設置された複数の無線通信データ収集装置とを備え、
各マンホール内に設置された上記無線通信データ収集装置の上記データ収集装置がロギングしたデータを、上記無線通信用マンホール蓋および上記基地局を介して上記通信端末から採取することを特徴とするデータ収集システム。
【請求項７】
センサーが検出する地下埋設物情報が異常な値を示す場合あるいは測定機器が異常な場合に、上記無線通信データ収集装置から上記無線通信用マンホール蓋および上記基地局を介して、自動的に上記通信端末に異常であること示す情報を通報可能としたことを特徴とする請求項６に記載のデータ収集システム。
【発明の詳細な説明】
【０００１】
【発明の属する技術分野】
本発明は，マンホール内に設置され、地下埋設物情報を収集して送信する無線通信データ収集装置と地上の基地局との間での無線通信を行うために利用される無線通信用マンホール蓋、この無線通信用マンホール蓋を利用して収集した地下埋設物情報を基地局に送信する無線通信データ収集装置、および複数のマンホール内に設置された無線通信データ収集装置が収集する地下埋設物情報を無線通信用マンホール蓋および基地局を介して通信端末との間で通信可能とするデータ収集システムに関する。
【０００２】
【従来の技術】
地中には、上水道・下水道の配管路、ガス管や電力ケーブル、制御・情報通信用通信ケーブル等が埋設されており、それぞれに対してメンテナンスや情報収集などの為に、専用または共用のマンホールがエリア毎に多数設置されている。
このような埋設物から管路状態の監視や、埋設機器の異常を検出するために、前述の多数設置しているマンホールから地下埋設物の状態を監視員が調査を行う必要がある。
そのため、それぞれのマンホール内にセンサー機器、データ収集機器等を設置することが多くなっているが、データ収集のためには広範囲に多数点在するマンホールを順次周回し、監視員がマンホールの中に入ってデータを収集する必要があり、労力を要した。
また、マンホール周辺の交通や歩行者の規制が必要であり、近隣住民に迷惑をかけることがあった。
【０００３】
このため、監視員がマンホールを順次周回し、マンホール蓋を開けることなく、マンホール内の地下埋設物の状態を示すデータ（地下埋設物情報）を、地上の１箇所から取得できるシステムの開発が進められている。
以下に、このようなシステムの従来例について説明する。
特開昭５５−３００５０号公報には、絶縁物で形成されたマンホール蓋の裏側に送受信機を取り付け、送信アンテナはそのマンホール蓋に埋め込んだ構造で取り付ける従来例が示されている。
【０００４】
また、特公平６−２９７５３号公報には、鉄製のマンホール蓋の裏側に凹部を設け、凹部上面を非導電材で塞ぎ、送信アンテナを着脱自在に挿入する従来例が示されている。
また、実開平５−８３０５３号公報には、一対の誘電体皮膜でアンテナ素子を挟み込む構成が示されている。
また、特開平８−５３８７８号公報には、アンテナ部材が埋め込まれ、埋め込まれアンテナ部材の端部のみが表出するマンホール蓋アンテナが示されている。
【０００５】
【発明が解決しようとする課題】
上述した各従来例では、地下埋設物の状態のモニタリング結果を送信する地中の通信手段とマンホール蓋に取り付けた中継用のアンテナ素子とを組み合わせることによって、地上とマンホール内との通信を行うことを目的として、マンホール蓋へのアンテナ素子の埋め込みが検討されている。
しかしながら、このようなアンテナ素子を埋め込む方法では、マンホール蓋の複雑な加工が必要である。
【０００６】
特に、アンテナ素子が埋め込んでいない既設のマンホール蓋を利用する場合には、アンテナ素子の埋め込み加工が複雑な分、加工コストが大きくかかる。
また、アンテナ素子埋め込み加工後のマンホール蓋に必要な強度を確保することが困難である。
また、加工コストを抑えるため、アンテナ素子をマンホール蓋に埋め込まず取り付けるだけでは表面にアンテナ素子の体積分の突出部が発生し、マンホール蓋の上を通る人や乗り物に対しする安全面や、アンテナ素子へ加わる衝撃や強度の面で問題である。
【０００７】
また、例えば、特開平１１−６１８６７号公報では、これらの問題点を改善するために、マンホール蓋にスロット（slot：細隙、スリットとも称す）を設けることにより、中継用のアンテナ素子をマンホール蓋に埋め込むことなく、マンホール内の無線機から測定データを含む電波を地上に送信できる方法が提案されている。
しかし、特開平１１−６１８６７号公報に示されたマンホール蓋は、マンホール内に設置された無線機から発信される電波をマンホール蓋に形成されたスロットにより漏洩しやすくしただけのものであるため、漏洩する電波強度は小さく、電波の到達範囲は小さくなる。
【０００８】
この発明は、このような問題点を解決するためになされたものであり、マンホール内に設置された無線通信データ収集装置が収集する地下埋設物情報を、地上の基地局の指令に応じてアンテナ機能を有したマンホール蓋を介して基地局に送信するデータ収集システムにおいて、加工が容易であり、突出部はなく、必要な強度が確保できると共に、さらに、電波特性の良好な（即ち、電波到達距離の長い）アンテナ機能を有した無線通信用マンホール蓋を提供することを目的とする。
【０００９】
また、このような無線通信用マンホール蓋を利用したデータ収集システムに用いられ、仮設設置に適した、また、防水性の良い無線通信データ収集装置を提供することを目的とする。
また、このような無線通信用マンホール蓋を利用して、遠隔地の通信端末から複数のマンホール内に設置された無線通信データ収集装置が収集あるいはロギングしたデータ（即ち、地下埋設物情報）を効率良く収集できるデータ収集システムを提供することを目的とする。
【００１０】
【課題を解決するための手段】
この発明に係る無線通信用マンホール蓋は、センサーが検出する地下埋設物情報を収集するデータ収集装置と地上の基地局からの指令信号に応じて上記データ収集装置が収集した地下埋設物情報を無線電波で送信する無線通信機とからなる無線通信データ収集装置が設置されたマンホールの無線通信用マンホール蓋であって、
導電体で構成され、所定の長さと幅を有しスロットアンテナとして機能するスロットが複数個、互いに向きが異なるように形成されるとともに、前記複数のスロットそれぞれの裏面に整合させて取り付けられ前記無線通信機の出力を前記スロットに給電し前記スロットをスロットアンテナとして励振する複数の給電部を備えたものである。
【００１１】
また、この発明に係る無線通信用マンホール蓋のスロットの所定の長さは、無線通信機が送信する無線電波波長の約１／２であることを特徴とする。
【００１２】
また、この発明に係る無線通信用マンホール蓋は、地下側の面に強度補強用のリブが設けられると共に、スロットはリブに対して最長距離確保できる角度を有して形成されていることを特徴とする。
【００１４】
また、この発明に係る無線通信用マンホール蓋のスロットは、樹脂が充填されていることを特徴とする。
【００１５】
また、この発明に係る無線通信データ収集装置は、請求項１〜５のいずれか１項に記載の無線通信用マンホール蓋を利用して、収集された地下埋設物情報を地上の基地局からの指令信号に応じて無線電波で送信する無線通信データ収集装置であって、バッテリーが内蔵されると共に、防水ケースで覆われていることを特徴とする。
【００１６】
また、この発明に係るデータ収集システムは、通信端末と、複数の基地局と通信端末を結ぶ通信回線と、センサーが検出する地下埋設物情報を収集してロギングするデータ収集装置と、請求項１〜５のいずれか１項に記載の無線通信用マンホール蓋を利用してデータ収集装置によりロギングされたデータを基地局からの指令信号に応じて基地局に無線電波で送信する無線通信機とからなり、複数のマンホールのそれぞれに設置された複数の無線通信データ収集装置とを備え、各マンホール内に設置された無線通信データ収集装置のデータ収集装置がロギングしたデータを、無線通信用マンホール蓋および基地局を介して通信端末から採取することを特徴とする。
【００１７】
また、この発明に係るデータ収集システムは、センサーが検出する地下埋設物情報が異常な値を示す場合あるいは測定機器が異常な場合に、無線通信データ収集装置から無線通信用マンホール蓋および基地局を介して、自動的に通信端末に異常であること示す情報を通報可能としたことを特徴とする。
【００１８】
【発明の実施の形態】
以下、本発明の一実施の形態を図面に基づいて説明する。
なお、各図間において、同一符号は同一あるいは相当のものを表す。
実施の形態１．
図１は本発明に係る無線通信用マンホール蓋を利用したデータ収集システムの一構成例を概念的に示す図である。
また、図２は実施の形態１による無線通信用マンホール蓋の表面図、図３は実施の形態１による無線通信用マンホール蓋を横から見た図、図４は実施の形態１による無線通信用マンホール蓋の裏面図である。
【００１９】
図１〜図４において、１は無線通信用マンホール蓋、１ａはスロット、１ｂは給電部、１ｃは同軸ケーブル、１ｄは同軸コネクタ、２はマンホール、３は無線通信データ収集装置、３ａは無線通信機、３ｂはデータ収集装置、３ｃはバッテリー部、４は消火栓、５は配管、６はセンサー、７は基地局、８は通信端末、９は地面である。
【００２０】
図１において、５は地中に埋設された配管であり、配管５の枝管に消火栓４が取り付けられ、消火栓４はマンホール２の内に設置されている。
また、マンホール２内の配管５にはセンサー６が取り付けられており、センサー６が検出して測定する地下埋設物等の状態を示すデータ（即ち、地下埋設物情報）が無線通信データ収集装置３のデータ収集装置３ｂに伝わり、データ収集装置３ｂ内でロギング（logging）される。
【００２１】
なお、地下埋設物情報には、地下埋設物自体の状態を示すデータだけではなく、地下埋設物が処理する対象物の状態に関するデータ（例えば、ガス濃度や地下水の水量・水質など）も含まれるものとする。
また、無線通信データ収集装置３は、無線通信機３ａとデータ収集装置３ｂとバッテリー部３ｃから構成されている。
そして、無線通信機３ａの出力端から出る同軸ケーブル１ｃは、同軸コネクタ１ｄを介してマンホール２の上部に蓋体として取り付けられている導電体の無線通信用マンホール蓋１へと接続される。
【００２２】
図２に示すように、実施の形態１による無線通信用マンホール蓋１には、所定長さ（例えば、無線通信機３ａから放射される電波波長ｌの約２分の１の長さ）のスロット（slot：細隙）１ａが形成されている。
なお、通常、スロット１ａの長さｌは無線通信機３ａから放射される電波波長以下であり、スロット幅に比べて十分長く形成されている。
また、スロット１ａの長さｌが無線通信機３ａから放射される電波波長ｌの約２分の１の長さのときに、最も効率よく電波が放射される。
【００２３】
図３に示すように、スロット１ａは無線通信用マンホール蓋１を貫通しており、貫通した部分の無線通信用マンホール蓋１の裏面には給電部１ｂが取り付けられている。
この給電部１ｂには、無線通信機３ａの出力端からの同軸ケーブル１ｃが同軸コネクタ１ｄを介して接続されている。
なお、図４に示すように、給電部１ｂは、同軸ケーブル１ｃとの整合を取るためにスロット１ａの中心からずらした位置に取り付けられる。
このような構成により、導電体（例えば、鉄製）の無線通信用マンホール蓋１に形成されたスロット１ａは、無線通信機３ａの出力信号により励振され、いわゆるスロットアンテナとして機能する。
【００２４】
以上説明したように、本実施の形態による無線通信用マンホール蓋は、センサーが検出する地下埋設物情報を収集するデータ収集装置と地上の基地局からの指令信号に応じてデータ収集装置が収集した測定信号情報を無線電波で送信する無線通信機とからなる無線通信データ収集装置が設置されたマンホールの無線通信用マンホール蓋であって、所定の長さ（例えば、無線通信機から放射される電波波長ｌの約２分の１の長さ）を有するスロットが形成されると共に、スロットは無線通信機の送信出力によって励振されることを特徴とする。
【００２５】
このため、本実施の形態による無線通信用マンホール蓋では、既設のマンホール蓋に所定の長さ（例えば、無線通信機から放射される電波波長ｌの約２分の１の長さ）を有するスロットを形成して、給電部、外部同軸ケーブルを取り付けるだけであるので、加工・取り付け処理が容易である。
即ち、既設のマンホール蓋にスロット加工するだけで、容易にアンテナ機能を有した無線通信用マンホール蓋へ変更することが可能である。
また、マンホール蓋としての強度面では、形成されるスロットの幅は小さいので、スロット加工しない既設のマンホール蓋と本実施の形態による無線通信用マンホール蓋は同等である。
【００２６】
さらに、アンテナ性能的には、マンホール蓋にループアンテナや平面アンテンを取り付けた場合よれも、スロットアンテナとしての本実施の形態による無線通信用マンホール蓋の方が電波特性は良い。
マンホール蓋にループアンテナを取り付けた場合、ループアンテナは双方向性方向のため鉄蓋にてシールドされ性能が劣化し、マンホール蓋に平面アンテナを取り付けた場合、周波数帯域が狭いためアンテナ構造が大きくなる。
一方、スロットアンテナとしての無線通信用マンホール蓋は、導電体(例えば、鉄製)の蓋からの反射波の影響を受けず、１つのスロット穴で周波数帯域の広い性能が得られる効果がある。
【００２７】
また、マンホール蓋へアンテナ素子を埋め込むタイプでは加工処理が複雑となるため、既設のマンホール蓋を流用することは困難であり、アンテナ素子を埋め込んだ専用のマンホール蓋を新規に作成して取り替える必要がある。
既設使用のマンホール蓋を流用した場合、マンホール蓋の表面にアンテナ素子を取り付けることになり、突出部が発生してしまい、マンホール蓋上を通る人や物に対して安全面で問題があるが、本実施の形態による無線通信用マンホール蓋ではスロットを設けるだけであるので突出部が発生せず安全面で問題がない。
【００２８】
実施の形態２．
図５は、実施の形態２による無線通信用マンホール蓋の表面図、図６は実施の形態２による無線通信用マンホール蓋を横から見た図、図７は実施の形態２による無線通信用マンホール蓋の裏面図である。
図５〜７において、１ｅは無線通信用マンホール蓋の裏面に形成されたリブ（rib）であり、リブ１ｅが付いているタイプのマンホール蓋では、リブ１ｅが無い部分にスロット１ａを設ける。
そして、リブ１ｅの間隔が狭い場合は、リブ１ｅに対して最長距離を確保できる角度（所定の角度）を有して、リブ１ｅの向きに対して斜めにスロット１ａを設ける。
【００２９】
スロット１ａは、無線通信機３ａの出力端から同軸ケーブルにより誘導されてきた送信信号によって励振され、電磁波が発生して電波が放射されるが、スロット１ａと導体部であるリブ１ｅとの距離を離した方が電磁波への影響がより小さくなる。
リブ１ｅの電磁波への影響が小さくなれば、アンテナ電波放射空間がより大きくなり、アンテナとしての電波特性性能がよくなる。
【００３０】
実施の形態３．
図８は実施の形態３による無線通信用マンホール蓋の表面図、図９は実施の形態３による無線通信用マンホール蓋の横から見た図、図１０は施の形態３による無線通信用マンホール蓋の裏面図である。
本実施の形態による無線通信用マンホール蓋は、互いに向きの異なる複数のスロット１ａをマンホール蓋上に設けることを特徴とする。
図８から図１０は、向きの異なる２つのスロット１ａを設けた場合の例を示している。
【００３１】
同軸ケーブルによって誘導されてきた無線通信機３ａからの送信出力は、給電部１ｂを介して向きの異なる２つのスロット１ａを励振する。
２つのスロット１ａは、向きが異なっているので、無線通信機３ａからの送信出力は異なった指向性を有した電波により空中へ放射される。
このように、本実施の形態による無線通信用マンホール蓋では、向きの角度が異なるスロットを複数有することで、アンテナの電波の指向性を複数持つことができ、指向性が広がったアンテナ性能を持つことができる。
【００３２】
実施の形態４．
図１１は、実施の形態４による無線通信用マンホール蓋の要部を示す断面図である。
本実施の形態による無線通信用マンホール蓋は、実施の形態１〜３による無線通信用マンホール蓋において、スロット１ａへ樹脂１ｆを充填したことを特徴とする。
実施の形態１〜３による無線通信用マンホール蓋では、スロット部に雨水などの液体が膜を張ったり、土砂、石、ゴミなどが詰まった場合、スロットアンテナとしての性能が落ちる。
【００３３】
しかし、スロット部に樹脂を充填することで、スロット部に雨水などの液体が膜を張ったり、土砂、石、ゴミなどが詰まることがないので、スロットアンテナの性能を良好に保持できる。
また、スロット部への樹脂の充填では、物理的にマンホール蓋に突起物が発生しないので、マンホール蓋上を通る人や物に対して安全である。
【００３４】
実施の形態５．
図１に示したように、無線通信データ収集装置３は、無線通信機３ａとデータ収集装置３ｂとバッテリー部３ｃとから構成されている。
本実施の形態による無線通信データ収集装置３ｂは、実施の形態１〜４のいずれかの無線通信用マンホール蓋１を利用して、収集された地下埋設物情報を地上の基地局７からの指令信号に応じて無線電波で送信する無線通信データ収集装置３であって、バッテリーが内蔵されると共に、防水ケースで覆われていることを特徴とする。
【００３５】
無線通信データ収集装置３の内部にバッテリー部３ｃを有するので、外部供給電源無しで動作が可能である。
このため、本実施の形態による無線通信データ収集装置３は可搬式として、作業者がマンホール２内に持ち運んで仮設設置できる。
また、無線通信データ収集装置３が収集したデータを送信するために、無線通信機３ａの送信出力は同軸ケーブル１ｃによって無線通信用マンホール蓋１に形成されたスロット１ａまで誘導され、給電部１ｂを介してスロット１ａを励振し、送信データが無線電波として放射される。
【００３６】
バッテリーが内蔵された本実施の形態による無線通信データ収集装置３では、各エリアに多数点在して、電源がない環境下のマンホール内でも、単独で使用することが可能である。
また、さらに、無線通信データ収集装置３は防水ケースを装備し、雨などでマンホール内に水が溜まった場合でも無線通信データ収集装置３内部の装置に影響を与えない。
【００３７】
以上のように、本実施の形態による無線通信データ収集装置では、バッテリーを内蔵したことにより外部供給電源が不要となり、また、防水ケース装備により雨などによる浸水の可能性のあるマンホール内部にも設置可能であり、マンホール内において仮設設置が容易に可能である。
【００３８】
実施の形態６．
図１では、実施の形態１〜４のいずれかで示したスロットアンテナとして機能する無線通信用マンホール蓋を利用したデータ（即ち、地下埋設物情報）収集システムの一構成例を概念的に示している。
本実施の形態によるデータ収集システムでは、通信端末８と、複数の基地局７と通信端末８を結ぶ通信回線と、センサー６が検出する地下埋設物情報を収集してロギングするデータ収集装置３ｂと、実施の形態１〜４のいずれかの無線通信用マンホール蓋１を利用して基地局７からの指令信号に応じてデータ収集装置３ｂによりロギングされたデータを基地局７に無線電波で送信する無線通信機３ａとからなり、複数のマンホールのそれぞれに設置された複数の無線通信データ収集装置３とを備え、各マンホールに設置された無線通信データ収集装置３のデータ収集装置３ｂがロギングしたデータを無線通信用マンホール蓋１および基地局７を介して通信端末８から採取できるように構成されている。
【００３９】
そして、遠隔な場所で必要な時に、通信端末８からデータ採取のための指令信号を基地局を中継して無線通信用マンホール蓋１に送信する。
送信された指令信号は無線通信用マンホール蓋１を介してマンホール内の無線通信データ収集装置３へ送信される。
無線通信データ収集装置３は、受信した指令信号に応じてデータ収集装置３ｂが収集／ロギングしたデータ（即ち、地下埋設物の測定信号情報）を、無線通信機３ａ、無線通信用マンホール蓋１、基地局７および通信回線を介して、通信端末８に送信する。
【００４０】
なお、図１では、基地局７およびマンホール２それぞれ１個づつのデータ収集システムが示されているが、通常、１つの通信端末に対して複数の基地局が設けられる共に、さらに、１つの基地局に対しては複数のマンホール（従って、複数の無線通信データ収集装置３）が設けられている。
【００４１】
従って、従来、データ収集時には広範囲に多数点在するマンホールを１つずつ周回し、監視員がマンホールの中に入ってデータを収得する必要があり面倒であったのが、本実施の形態によるデータ収集システムでは、遠隔地の通信端末から多数のマンホールの地下埋設物情報を無線基地局を介して通信端末との間で容易に通信可能となり、地下埋設物情報の収集を高効率に行える。
【００４２】
実施の形態７．
本実施の形態によるデータ収集システムは、上述の実施の形態６によるデータ収集システムにおいて、さらにセンサー６が検出する地下埋設物情報が異常な値を示す場合や、センサー６を含む測定機器自体が異常な場合に、無線通信データ収集装置３の無線通信機３ａから無線通信用マンホール蓋１および基地局７を介して、自動的に通信端末８に異常であること示す異常情報を通報可能な構成としている。
従って、地下埋設物情報や測定機器が異常となったマンホールを遠隔地の通信端末で即座に知ることができ、素早い対応策の実施が可能となる。
【００４３】
【発明の効果】
この発明による無線通信用マンホール蓋は、センサーが検出する地下埋設物情報を収集するデータ収集装置と地上の基地局からの指令信号に応じてデータ収集装置が収集した地下埋設物情報を無線電波で送信する無線通信機とからなる無線通信データ収集装置が設置されたマンホールの無線通信用マンホール蓋であって、所定の長さを有するスロットが形成されると共に、スロットは無線通信機の送信出力によって励振されるので、既設のマンホール蓋にスロット加工するだけで、強度が確保され、突出部もなく安全で、かつ、スロットアンテナとしての良好なアンテナ機能を有した無線通信用マンホール蓋を実現できる。
【００４４】
また、この発明による無線通信用マンホール蓋のスロットの所定の長さは、無線通信機が送信する無線電波波長の約１／２であるので、電波特性が最も良くなる。
【００４５】
また、この発明による無線通信用マンホール蓋は、地下側の面に強度補強用のリブが設けられると共に、スロットはリブに対して最長距離を確保できる角度を有して形成されているので、強度補強用のリブが設けられていても、電磁波への影響が最も小さく、アンテナ電波放射空間の大きな、良好なアンテナ機能を有することができる。
【００４６】
また、この発明による無線通信用マンホール蓋のスロットは、複数個形成され、形成された複数のスロットは互いに向きが異なるので、指向性の広がったアンテナ性能を有することができる。
【００４７】
また、この発明による無線通信用マンホール蓋のスロットは、樹脂が充填されているので、スロット部に雨水などの液体が膜を張ったり、土砂、石、ゴミなどが詰まることがないので、スロットアンテナの性能を良好に保持できる。
【００４８】
また、この発明による無線通信データ収集装置は、請求項１〜５のいずれか１項に記載の無線通信用マンホール蓋を利用して、収集された地下埋設物情報を地上の基地局からの指令信号に応じて無線電波で送信する無線通信データ収集装置であって、バッテリーが内蔵されると共に、防水ケースで覆われているので、外部からの電源供給が不要であり、また、雨などによる浸水の可能性のあるマンホール内部にも設置可能であり、仮設設置作業を容易に行える。
【００４９】
また、この発明によるデータ収集システムは、通信端末と、複数の基地局と通信端末を結ぶ通信回線と、センサーが検出する地下埋設物情報を収集してロギングするデータ収集装置と、請求項１〜５のいずれか１項に記載の無線通信用マンホール蓋を利用してデータ収集装置によりロギングされたデータを基地局からの指令信号に応じて基地局に無線電波で送信する無線通信機とからなり、複数のマンホールのそれぞれに設置された複数の無線通信データ収集装置とを備え、各マンホール内に設置された無線通信データ収集装置のデータ収集装置がロギングしたデータを、無線通信用マンホール蓋および基地局を介して通信端末から採取するので、遠隔地の通信端末から多数のマンホールの地下埋設物情報を無線基地局を介して通信端末との間で通信可能となり、非常に高効率な地下埋設物情報の収集が行える。
【００５０】
また、この発明によるデータ収集システムは、センサーが検出する地下埋設物情報が異常な値を示す場合あるいは測定機器が異常な場合に、無線通信データ収集装置から無線通信用マンホール蓋および基地局を介して、自動的に通信端末に異常であること示す情報を通報可能としたので、地下埋設物情報や測定機器が異常となったマンホールを遠隔地の通信端末で即座に知ることができ、素早い対応策の実施が可能となる。
【図面の簡単な説明】
【図１】  実施の形態１による無線通信用マンホール蓋アンテナを利用したデータ収集システムの一構成例を概念的に示す図である。
【図２】  実施の形態１による無線通信用マンホールの表面図である。
【図３】  実施の形態１による無線通信用マンホールを横から見た図である。
【図４】  実施の形態１による無線通信用マンホールの裏面図である。
【図５】  実施の形態２による無線通信用マンホール蓋の表面図である。
【図６】  実施の形態２による無線通信用マンホール蓋を横から見た図である。
【図７】  実施の形態２による無線通信用マンホール蓋の裏面図である。
【図８】  実施の形態３による無線通信用マンホール蓋の表面図である。
【図９】  実施の形態３による無線通信用マンホール蓋の横から見た図である。
【図１０】  実施の形態３による無線通信用マンホール蓋の裏面図である。
【図１１】  実施の形態４による無線通信用マンホール蓋の要部を示す断面図である。
【符号の説明】
１  無線通信用マンホール蓋      １ａ  スロット
１ｂ  給電部                      １ｃ  外部同軸ケーブル
１ｄ  同軸コネクタ                １ｅ  リブ
１ｆ  樹脂                          ２  マンホール
３  無線通信データ収集装置      ３ａ  無線通信機
３ｂ  データ収集装置              ３ｃ  バッテリー部
４  消火栓                        ５  配管
６  センサー                      ７  基地局
８  通信端末                      ９  地面
【図１】
0003999047.tif 000002
【図２】
0003999047.tif 000003
【図３】
0003999047.tif 000004
【図４】
0003999047.tif 000005
【図５】
0003999047.tif 000006
【図６】
0003999047.tif 000007
【図７】
0003999047.tif 000008
【図８】
0003999047.tif 000009
【図９】
0003999047.tif 000010
【図１０】
0003999047.tif 000011
【図１１】
0003999047.tif 000012